(57)【要約】      （修正有）【課題】給紙トレイに昇降トレイの一端が支持された給紙トレイユニットを上方に回動させた際に、昇降トレイの他端側の揺動によって昇降トレイが給紙トレイに当たり不快音が発生するのを防止する。【解決手段】給紙トレイユニットＴが前記搬送ユニットＦに対して回動可能に支持されてなる給紙装置において、給紙トレイユニットＴを上方に回動させた際に、給紙トレイ４１に対して昇降トレイ４２の動きを拘束する規制手段を設けている。この規制手段は、例えば昇降トレイ４２の背面に突出形成された係合突起６０と、この係合突起６０に係合する位置と解除する位置との間で移動する規制部材６１と、この規制部材６１を係合突起６０側に付勢する弾性部材６４とを備える。【選択図】図４
2008156024.tif 000002
【特許請求の範囲】
【請求項１】
原稿の一端側が載置される給紙トレイ及び原稿の他端側が載置され且つ前記給紙トレイに昇降自在に支持される昇降トレイからなる給紙トレイユニットと、前記給紙トレイユニット上の原稿を繰り出す繰出手段を有する搬送ユニットとを備え、前記給紙トレイユニットが前記搬送ユニットに対して回動可能に支持されてなる給紙装置において、
前記給紙トレイユニットを上方に回動させた際に、給紙トレイに対して昇降トレイの動きを拘束する規制手段を設けたことを特徴とする給紙装置。
【請求項２】
前記規制手段は、前記昇降トレイに設けられた係合部材と、前記給紙トレイに設けられた被係合部材とを備え、被係合部材は前記給紙トレイユニットが原稿載置位置にある時には係合部材との係合が解除され、原稿載置位置から上方へ回動した時に係合部材と係合する請求項１記載の給紙装置。
【請求項３】
前記係合部材は、前記昇降トレイの背面に突出形成された係合突起からなる請求項２記載の給紙装置。
【請求項４】
前記被係合部材は、前記係合部材に係合する位置と解除する位置との間で移動する規制部材と、この規制部材を前記係合部材側に付勢する弾性部材とを備え、前記載置ユニットが原稿載置位置にある時には前記規制部材が前記弾性部材に抗して前記係合部材から解除する位置に押圧されている請求項２記載の給紙装置。
【請求項５】
前記規制部材は、その先端部に前記係合部材が嵌り込む係合凹部を有する請求項４記載の給紙装置。
【請求項６】
前記係合凹部は高さ方向に複数設けられている請求項５記載の原稿給紙装置。
【請求項７】
前記規制部材は、前記搬送ユニットに設けられた押圧部材によって押圧されている請求項４記載の給紙装置。
【発明の詳細な説明】
【技術分野】
【０００１】
本願発明は、給紙トレイ上に積載された原稿を所定の位置に繰り出す給紙装置に係り、特に原稿を繰出手段に圧接させるため昇降自在な昇降トレイを備えた給紙装置に関するものである。
【背景技術】
【０００２】
画像読取装置や複写機等に備えられて原稿を所定の画像読取位置に搬送する給紙装置において、給紙トレイの下方に排紙トレイを配置し、給紙トレイ上に載置された原稿を画像読取位置を介して排紙トレイに搬送するための搬送パスをＵ字状に形成したものが知られている。この種の給紙装置では、排紙トレイから原稿を取り出したり、排紙部でジャムした原稿を取り除くことができるように、給紙トレイを上方に回動できるように構成してある。また、近年の給紙装置においては、給紙トレイの下方に設けられた排紙部にスタンパーやプリンターなどを取り付けて原稿にマークやメッセージを表示させるものがあり、このような装置ではスタンパーやプリンターのメンテナンスも必要であるため、給紙トレイの全体を上方に回動させて排紙部を完全に露出させることが望まれている。
【０００３】
一方、最近は大量の原稿を一度に取り扱える給紙装置が望まれており、その種の給紙装置としては、原稿の後端側を支持する給紙トレイと原稿の先端側を支持する昇降自在な昇降トレイとで構成された給紙トレイユニットを採用したものが知られている（特許文献１及び特許文献２参照）。昇降トレイは、その一端側が給紙トレイに回動自在に支持され、他端側がフリーの状態になっている。また、昇降トレイの背面側には昇降レバーとこの昇降レバーの駆動モータなどで構成される昇降手段が設けられており、駆動モータによって回動させた昇降レバーで昇降トレイの背面を押し上げて昇降トレイを上昇させる構成となっている。なお、駆動モータを逆回転させ昇降レバーを昇降トレイの背面から離れる方向に回動させることで、昇降トレイはその自重によって下降する。
【０００４】
しかしながら、上記のように昇降トレイを備えた給紙トレイユニットにあっては、前述のように、昇降トレイは給紙トレイに対して一端側のみが支持され、他端側がフリーの状態になっているために、給紙トレイユニットの全体を上方に回動させた場合、昇降トレイは給紙トレイに垂れ下がった状態で保持されることになる。そのために、給紙トレイユニットの回動時に昇降トレイが揺動して給紙トレイや他の部品などに当たって不快音を発生させたり、部品を傷付けるといった問題があった。
【特許文献１】特開２００３−１１８８５１号公報
【特許文献２】特開２００１−１３９１６２号公報
【発明の開示】
【発明が解決しようとする課題】
【０００５】
本発明が解決しようとする問題点は、給紙トレイユニットの全体を上方に回動させた際に、昇降トレイの揺動によって不快音が発生したり部品が傷付くのを防止することである。
【課題を解決するための手段】
【０００６】
本発明に係る給紙装置は、原稿の一端側が載置される給紙トレイ及び原稿の他端側が載置され且つ前記給紙トレイに昇降自在に支持される昇降トレイからなる給紙トレイユニットと、前記給紙トレイユニット上の原稿を繰り出す繰出手段を有する搬送ユニットとを備え、前記給紙トレイユニットが前記搬送ユニットに対して回動可能に支持されてなる給紙装置において、前記給紙トレイユニットを原稿載置位置から上方に回動させた際に、給紙トレイに対して昇降トレイの動きを拘束する規制手段を設けたことを特徴とする。
【発明の効果】
【０００７】
本発明に係る給紙装置によれば、給紙トレイユニットを原稿載置位置から上方に回動させた際には昇降トレイの揺動が規制手段によって拘束されるので、従来のような昇降トレイの揺動による不快音の発生や、昇降トレイと他の部品との衝突による傷つきを防止することができる。
【発明を実施するための最良の形態】
【０００８】
以下、添付図面に基づいて本発明に係る給紙装置の実施形態を詳細に説明する。図１は画像読取装置に搭載された本発明の給紙装置を示す断面図である。図１において、Ａは画像読取装置Ｈの上部に搭載された給紙装置としての原稿送り装置であり、この原稿送り装置Ａは、画像読取装置Ｈの上面に設けられた第１のコンタクトガラス１上を原稿が通過するように搬送する。
【０００９】
画像読取装置Ｈは、第１のコンタクトガラス１を介してランプ等の光源から発せられた光を原稿に照射し、その反射光を複数のミラーで反射させ、レンズを介してＣＣＤなどの光電変換手段により光電変換して原稿画像を読み取る第１の読取ユニット３を備え、第１のコンタクトガラス１の上面に画像読取装置Ｈの第１の読取部５を構成している。また、画像読取装置Ｈは、前記第１のコンタクトガラス１の後方に第２のコンタクトガラス２を備えている。この第２のコンタクトガラス２は、原稿を載せ置くことのできる面積を備えており、原稿送り装置Ａを上方に開けて第２のコンタクトガラス２上に本や雑誌等の厚い原稿を載せ置き、前記第１の読取ユニット３を副走査方向に移動させることによって、原稿画像を読み取ることができる。
【００１０】
原稿送り装置Ａは、大量の原稿を一度に載置することのできる給紙トレイユニットＴと、この給紙トレイユニットＴの下方側に配置され、前記画像読取装置Ｈで原稿画像が読み取られた原稿を収納する排紙トレイ１１と、前記第２のコンタクトガラス２を押圧するための押圧カバー１２と、前記給紙トレイユニットＴから排紙トレイ１１に原稿を搬送するためのＵ字状の搬送パス１３とを備えて構成されている。前記押圧カバー１２は、例えばスポンジ等の多孔質部材と白色マイラー等のフィルム部材とによって構成されている。
【００１１】
また、この実施形態における原稿送り装置Ａでは、前記Ｕ字状の搬送パス１３の湾曲部に原稿の裏面画像を読み取る第２の読取ユニット４が設けられている。この第２の読取ユニット４は、前記第１の読取ユニット３と同様、搬送パス１３の一部を形成するコンタクトガラス７を介してランプ等の光源から発せられる光を原稿に照射し、その反射光を複数のミラーで反射させてレンズを介してＣＣＤなどの光電変換手段により光電変換して原稿画像を読み取るように構成されており、コンタクトガラス７の上面が画像読取装置Ｈの第２の読取部６として構成される。このように、上記の原稿送り装置Ａでは、搬送パス１３途中の第２の読取部６を通過する原稿の一方の片面の原稿画像を第２の読取ユニット４で読み取り、第１の読取部５を通過する原稿の他方の片面の原稿画像を第１の読取ユニット３で読み取るので、両面原稿の画像読取時間を大幅に短縮することができる。
【００１２】
前記Ｕ字状の搬送パス１３は、給紙トレイユニットＴから原稿を繰り出すための繰出ローラ２１と、繰出ローラ２１から繰り出された原稿を１枚ずつ分離して給送するための給紙ローラ２２及び分離パッド２３からなる分離手段と、給紙ローラ２２から給紙された原稿の先端がそのニップ点に突き当たることによって原稿の先端を整合してスキューを除去し、その後に駆動して原稿を下流側に送るレジストローラ対２４とを備える。また、搬送パス１３は、前記レジストローラ対２４からの原稿を前記第２の読取部６及び第１の読取部５に向けて送り出す送りローラ対２５と、送りローラ対２５からの原稿を第２の読取部６に供給する第１の読取ローラ対２６と、第２の読取部６にて一方の片面が読み取られた原稿を第１の読取部５に供給する第２の読取ローラ対２７とを備える。さらに、搬送パス１３は、前記第２の読取部６と第１の読取部５とを通過した原稿を搬出する第３の読取ローラ対２８と、第１の読取部５を通過して両面が読み取られた後の原稿を第３の読取ローラ対２８から受けて排紙トレイ１１に向けて搬送する第１排紙ローラ対２９と、原稿を排紙トレイ１１に排紙する第２排紙ローラ対３０とを備えている。この実施形態では、上記の搬送パス１３は複数の部材を組み込んだ搬送ユニットＦとして構成されている。
【００１３】
次に、上記構成からなる原稿送り装置Ａによる原稿搬送動作について説明する。先ず、給紙トレイユニットＴ上に原稿が載置されたことをエンプティセンサＳ１が検知し、さらに画像読取装置Ｈからの給紙指令信号によって、繰出ローラ２１と給紙ローラ２２とが駆動する。これによって、給紙トレイユニットＴの上に載置された複数の原稿が順次繰り出され、分離パッド２３によって１枚ずつ分離されたのち給送される。給送された原稿の先端をレジストセンサＳ２が検知すると、その検知した時点から原稿を所定量搬送することによって、レジストローラ対２４のニップ部に原稿の先端が突き当たって整合され、スキューが取り除かれる。その後、レジストローラ対２４、送りローラ対２５及び各読取ローラ対２６、２７、２８が駆動する。これによって、原稿はＵ字状の搬送パス１３に沿ってその表裏が反転するように搬送され、第２の読取部６、第１の読取部５の順に通過する。この第２の読取部６を通過する時に原稿の一方の片面が読み取られ、第１の読取部５を通過する時に原稿の他方の片面が読み取られる。
【００１４】
原稿の先端が第１排紙ローラ対２９に到達する前に、第１排紙ローラ対２９と第２排紙ローラ対３０とが駆動し、第２の読取部６と第１の読取部５とで両面が読み取られた原稿を排紙トレイ１１上に排紙する。
【００１５】
なお、上述した原稿送り装置Ａには、搬送パス１３のレジストローラ対２４と送りローラ対２５との間の経路に重送検出センサＧＳが設けられている。この重送検出センサＧＳは、超音波を発振する発振部と超音波を受振する受振部とを経路を挟んで対向して配置されており、受振した超音波の振動レベルによって原稿の重送を検出する。また、搬送パス１３の排紙トレイ１１側の排紙部にはインプリンタ８が設けられている。このインプリンタ８は、第１排紙ローラ２９と第２排紙ローラ３０とによって排紙される原稿面に５文字程度の文字を印刷することができる。ここでは、原稿の重送などの搬送エラーや第１、第２の読取ユニット３、４による読取エラーが発生したことを報知する文字をエラーの発生した原稿に印刷するようになっている。
【００１６】
次に、本発明における給紙トレイユニットＴの構成及び作用について詳細に説明する。図２は給紙トレイユニットＴの構成を説明するための斜視図、図３は給紙トレイユニットＴの断面図である。
【００１７】
図２及び図３に示すように、本発明の給紙トレイユニットＴは、原稿の後端側を支持する給紙トレイ４１と、原稿の先端側を支持する昇降トレイ４２とを備える。給紙トレイ４１は、平板状の原稿載置部４１ａに、昇降トレイ４２の底面側を覆うカバー部４１ｂと給紙トレイユニットＴを上方に回動するためのアーム部４１ｃとが一体に形成されたものである。昇降トレイ４２は、前記給紙トレイ４１のカバー部４１ｂの上方に配置された平板状の部材からなり、給紙トレイ４１の原稿載置部４１ａと一連につながって原稿の先端側の載置面を形成する。また、昇降トレイ４２の後端両側に設けた支持ピン４２ａが給紙トレイ４１に回転可能に取り付けられている。そのため、昇降トレイ４２は、図３に示されるような給紙トレイ４１の原稿載置部４１ａと連続するフラット面を形成して原稿を載置するための載置位置と、図３に仮想線で示したように、支持ピン４２ａを支点して前方側が上昇して繰出ローラ２１の周面に原稿の上面が接触する繰出位置との間を昇降する。
【００１８】
前記給紙トレイ４１のカバー部４１ｂは、昇降トレイ４２の底面側を覆うことによって、後述する一対のサイド規制部材４３の連動機構並びに昇降トレイ４２を上昇させるための昇降レバー４４が外部に露出しないようにしている。また、アーム部４１ｃは、図２に示すようにその先端側に回動ピン４１ｄを備え、この回動ピン４１ｄがＵ字状の搬送パス１３を構成する搬送ユニットＦの側壁５０に回動可能に取り付けられる。そのため、給紙トレイユニットＴは、給紙トレイ４１と昇降トレイ４２とが一緒になって、回動ピン４１ｄを支点として搬送ユニットＦに対して上下方向に回動可能となる。給紙トレイユニットＴを上方に回動させる場合としては、排紙トレイ１１に排紙された原稿を取り出す場合やジャム原稿を取り除く場合などである。
【００１９】
また、上記昇降トレイ４２には、原稿の幅方向の側端を規制する一対のサイド規制部材４３が設けられている。このサイド規制部材４３は原稿の幅方向の両側端を規制するために、幅方向にスライド移動自在に設けられており、一方のサイド規制部材のスライド移動に連動して他方のサイド規制部材がスライド移動するための連動機構が設けられている。なお、連動機構は図示しないが、ラックとピニオンを有する一般的な機構を採用している。
【００２０】
前記昇降トレイ４２の昇降は搬送ユニットＦ側に設けられた昇降手段によって駆動される。この実施例において昇降手段は、昇降トレイ４２の先端側の背面に当接する昇降レバー４４と、この昇降レバー４４を上下に回動する駆動軸４５と、この駆動軸４５に連結された駆動伝達手段としての複数のギヤ（図示せず）と、複数のギヤを介して駆動軸４５を回転させる昇降モータ（図示せず）と、により構成されている。前記昇降レバー４４は、図２に示したように、中央部に係合穴４４ａが開設された細長い平板部材であり、その先端部が昇降トレイ４２の先端側の直下にまで延設して、昇降トレイ４２の背面に当接する。
【００２１】
次に、昇降トレイ４２の昇降動作について説明する。給紙トレイユニットＴに載置された原稿をエンプティセンサＳ１が検出し、画像読取装置Ｈからの給紙指令信号によって昇降モータが正回転駆動を開始する。このモータの正回転駆動によって駆動軸４５が回転し、下限位置にある昇降レバー４４を上方に回動させる。この回動動作によって昇降レバー４４の先端部が昇降トレイ４２の背面に当接して昇降トレイ４２を押し上げる。この動作に基づいて、昇降トレイ４２は後端の支持ピン４２ａを回動支点として先端側が上昇する。なお、昇降モータは、昇降トレイ４２に載置された原稿の最上面が繰出ローラ２１に当接する繰出位置に達するまで昇降トレイ４２が上昇した時に駆動を停止する。この状態で繰出ローラ２１が駆動されて原稿が繰り出される。
【００２２】
その後、原稿が所定枚数繰り出される毎に昇降モータが駆動し、昇降レバー４４によって昇降トレイ４２が上昇して原稿の最上面が常時適正な繰出位置となるように制御される。そして、給紙トレイユニットＴ上に原稿が無くなったことをエンプティセンサＳ１で検出すると昇降モータが逆回転駆動を開始する。これによって、駆動軸４５を介して昇降レバー４４は下方に回動して下限位置まで移動する。この昇降レバー４４の下方への回動に追従して昇降トレイ４２は自重によって下方の載置位置まで下降する。なお、符号Ｓ４は原稿の最上面が繰り出し位置に到達したことを検出する繰出位置検出センサであり、符号Ｓ５は昇降レバー４４が下限位置に移動したことを検出する下限位置センサである。なお、前記昇降レバー４４に設けられた係合孔４４ａに、昇降トレイ４２の背面に設けた突起（図示せず）を係合させることで、昇降レバー４４の上昇時には給紙トレイユニットＴの上方への回動を規制することができる。
【００２３】
本発明に係る原稿送り装置Ａの特徴は、前記給紙トレイユニットＴを上方に回動させた際に、給紙トレイ４１に対する昇降トレイ４２のガタ付きなどを防ぐ規制手段が設けられている点である。この実施形態における規制手段は、図４に示されるように、昇降トレイ４２の先端側の背面に突出形成された係合部材としての係合突起６０と、給紙トレイ４１のカバー部４１ｂに取り付けられた被係合部材としての規制部材６１とを備える。この規制部材６１は、給紙トレイユニットＴを回動させた際に、前記係合突起６０と係合して、昇降トレイ４２の自由端側が揺動するのを防止するものである。なお、係合突起６０の先端には鉤形のフック６０ａが形成され、また、この実施形態では係合突起６０は昇降トレイ４２と一体に樹脂成形されている。
【００２４】
前記規制部材６１は、図４及び図５に示すようなブロック状の樹脂成形品であり、カバー部４１ｂの前端の片隅に設けられた凹所６２に配置される。この実施形態において、規制部材６１は、係合突起６０と係合する係合凹部６３と、この係合凹部６３の後方に位置し規制部材６１を係合突起６０側に常時付勢する圧縮バネ６４が収納される収納部６５と、規制部材６１を給紙トレイ４１のカバー部４１ａに対して前後方向にスライド支持するスライド部６６とを備える。前記係合凹部６３は係合突起６０が嵌り込む係合溝６７と、この係合溝６７の上方に位置し嵌り込んだ係合突起６０の先端のフック６０ａと係合する係合上壁６８とで構成される。また、前記スライド部６６には前後方向に長孔６９が形成されており、この長孔６９内に配置した２個の段ビス７０を給紙トレイ４１のカバー部４１ｂに取り付けることで、規制部材６１をスライド可能に支持する。さらに、収納部６１ｂに収納される圧縮バネ６４は、前端が収納部６３の前面壁７１に当接し、後端がカバー部４１ａに設けられたリブ状の突出壁７２に当接することで、収納部６５内には圧縮された状態で収納される。即ち、図４（ａ）及び図５（ａ）に示されるように、給紙トレイユニットＴが原稿を繰り出す位置にある時には、規制部材６１のスライド部６６の前面７３を昇降レバー４４を収納する外装用カバー７４の縦壁面７５が押圧することで圧縮バネ６４が収納部６５内で収縮された状態となり、規制部材６１が凹所６２内に押し戻された状態で収まる。このとき、係合突起６０のフック６０ａは規制部材６１における係合凹部６２の係合上壁６８とは離れた状態で係合溝６７内に嵌り込む。一方、図４（ｂ）及び図５（ｂ）に示されるように、給紙トレイユニットＴが上方に回動した時には、規制部材６１のスライド部６６の前面７３が外装用カバー７４の縦壁面７５による押圧から解除され、圧縮バネ６４の弾性力によって規制部材６１が前方にスライドしてスライド部６６の前面７３が凹所６２の前端７６から突出する。このとき、係合突起６０のフック６０ａは規制部材６１における係合凹部６２の係合上壁６８に係合した状態となる。なお、この実施形態では上記外装用カバー７４の縦壁面７５を凹所６２内に押し戻す規制部材６１の押圧部材としているが、本発明の押圧部材はこれに限定されないものである。
【００２５】
次に、上記構成からなる規制手段の作用を図４及び図６に基づいて説明する。図４（ａ）は、給紙トレイユニットＴが原稿を載置する位置にある状態を示したものである。この状態において、規制部材６１はスライド部６６の前面７３が搬送ユニットＦ側の外装用カバー７４の縦壁面７５に当接することで、昇降トレイ４２の背面に突出形成された係合突起６０から離れる方向に押圧される。この押圧作用によって、規制部材６１が給紙トレイ４１の凹所６２内に収まり、係合突起６０の先端のフック６０ａと規制部材６１の係合凹部６３に設けられた係合上壁６８とは係合が解除された状態となる。その結果、昇降トレイ４２は昇降レバー４４による昇降動作が可能となる。
【００２６】
図４（ｂ）は給紙トレイユニットＴが前記の載置位置から回動を開始した状態を示したものである。この場合にはスライド部６６の前面７３が外装用カバー７４の縦壁面７５から離れることでそれまでの押圧が解除され、圧縮バネ６４の弾性力によって規制部材６１がスライドし、スライド部６６の前面７３が凹所６２の前端７６から突出する。このように規制部材６１が係合突起６０側に近づくことで、係合突起６０の先端フック６０ａが規制部材６１の係合凹部６３に設けられた係合上壁６８に係合した状態となる。
【００２７】
図６は給紙トレイユニットＴを先の位置から垂直位置まで回動した時の状態を示すものである。給紙トレイユニットＴを垂直位置まで回動させる間及び給紙トレイユニットＴをほぼ垂直状態にした後も係合突起６０と規制部材６１との係合状態が保持される。そのために、昇降トレイ４２の自由端である下端側の揺動が拘束されることになり、昇降トレイ４２が給紙トレイ４１に当って不快音を発するといったことがない。
【００２８】
そして再び、給紙トレイユニットＴを図６の垂直位置から図４（ａ）に示すような載置位置に戻すと、規制部材６１はスライド部６６の前面７３が外装用カバー７４の縦壁面７５に当接し、係合突起６０とは離れる方向に押圧されてスライド移動する。これによって、係合突起６０と規制部材６１との係合が解除され、昇降トレイ４２は再び昇降可能な状態となる。
【００２９】
なお、昇降トレイ４２が上昇している時は係合突起６０が規制部材６１の上方に位置するため、係合突起６０のフック６０ａと規制部材６１の係合凹部６３が上下方向で位置ズレを生じている。そのために、給紙トレイユニットＴを回動させて外装用カバー７４の押圧から規制部材６１を開放して係合突起６０側に突出させたとしても、係合突起６０のフック６０ａが規制部材６１の係合凹部６３に嵌合しないおそれがある。そのため、このような状態で給紙トレイユニットＴを回動すると昇降トレイ４２は下端側の動きが拘束されない状態で給紙トレイユニットＴと一緒に回動してガタ付きの原因となってしまう。
【００３０】
本発明では上記のような事態を回避するために、前記規制部材６１の係合凹部６３を高さ方向、即ち昇降トレイの昇降する方向に複数段設け、昇降トレイ４２が上昇している時に給紙トレイユニットＴを回動した場合には係合突起６０がいずれかの係合凹部６３に係合するようにしてもよい。なお、前述したように、この実施形態では昇降トレイ４２が上昇している時には、給紙トレイユニットＴ自体を回動できないように規制している。
【００３１】
上述した構成によれば、簡易な構造の規制手段でありながら、給紙トレイユニイトＴが原稿を繰り出す位置にあるときには、昇降トレイ４２の昇降動作を可能とし、給紙トレイユニイトＴが回動した状態にあるときには昇降トレイ４２の揺動を規制することができる。
【図面の簡単な説明】
【００３２】
【図１】本発明に係る給紙装置の全体構成を示す断面図である。
【図２】本発明に係る給紙装置の給紙トレイユニットの斜視図である。
【図３】図２におけるIII−III線断面図である。
【図４】係合突起と規制部材との係合関係を示す断面図である。
【図５】規制部材の構成を示す斜視図である。
【図６】給紙トレイユニットを上方に回動させた時の断面図である。
【符号の説明】
【００３３】
Ｈ  原稿読取装置
Ａ  原稿送り装置
Ｆ  搬送ユニット
Ｔ  給紙トレイユニット
４１  給紙トレイ
４２  昇降トレイ
６０  係合突起
６１  規制部材
６３  係合凹部
６４  圧縮バネ
６８  係合上壁
７４  外装用カバー
７５  縦壁面
【図１】
2008156024.tif 000003
【図２】
2008156024.tif 000004
【図３】
2008156024.tif 000005
【図４】
2008156024.tif 000006
【図５】
2008156024.tif 000007
【図６】
2008156024.tif 000008